(57)【要約】【課題】  移動端末のユーザーがデジタルテレビ放送を視聴しながら移動し、放送局からの地上波デジタルテレビ放送の電波が受信できないエリアに達すると放送内容の情報を入手することができなくなる問題があった。【解決手段】  本発明に係る移動通信端末は、放送局から送信された地上波デジタルテレビ信号を受信する受信手段２と、携帯電話機を含む移動無線通信機器による無線通信に割り当てられた帯域を利用して放送局から送信される携帯電話用デジタルテレビ信号を受信する受信手段４と、地上波デジタルテレビ信号及び携帯電話用デジタルテレビ信号に含まれる音声信号を受信可能な受信手段８と、受信手段２、４及び８が受信した受信信号に基づいて、デジタルテレビ放送を視聴可能に出力する出力手段１５、１６と、受信状況に応じて、デジタルテレビ放送を受信する受信手段を選択的に切り替える制御手段１１とを設けた。【選択図】  図１
2008118350.tif 000002
【特許請求の範囲】
【請求項１】
放送局から送信された地上波デジタルテレビ信号を受信する第一の受信手段と、
携帯電話機を含む移動無線通信機器による無線通信に割り当てられた帯域を利用して放送局から送信される携帯電話用デジタルテレビ信号を受信する第二の受信手段と、
前記地上波デジタルテレビ信号及び前記携帯電話用デジタルテレビ信号に含まれる音声信号を受信可能な第三の受信手段と、
前記第一の受信手段、前記第二の受信手段及び前記第三の受信手段が受信した受信信号に基づいて、デジタルテレビ放送を視聴可能に出力する出力手段と、
前記第一の受信手段、前記第二の受信手段及び前記第三の受信手段の受信状況に応じて、前記デジタルテレビ放送を受信する受信手段を選択的に切り替える制御手段とを設けたことを特徴とする移動通信端末。
【請求項２】
制御手段は、受信したＧＰＳ（Global Positioning System）信号より位置検出を行い、検出した位置に基づいてデジタルテレビ放送を受信する受信手段を選択的に切り替えることを特徴とする請求項１に記載の移動通信端末。
【請求項３】
放送局から送信された地上波デジタルテレビ信号を受信する第一の受信手段と、
携帯電話機を含む移動無線通信機器による無線通信に割り当てられた帯域を利用して放送局から送信される携帯電話用デジタルテレビ信号を受信する第二の受信手段と、
前記地上波デジタルテレビ信号及び前記携帯電話用デジタルテレビ信号に含まれる音声信号を受信可能な第三の受信手段と、
前記第一の受信手段、前記第二の受信手段及び前記第三の受信手段が受信した受信信号に基づいて、デジタルテレビ放送を視聴可能に出力する出力手段と、
ＧＰＳ（Global Positioning System）信号を受信するＧＰＳ信号受信手段と、
受信したＧＰＳ信号より位置検出を行い、検出した位置に基づいて、前記第一の受信手段、前記第二の受信手段及び前記第三の受信手段のうち、デジタルテレビ放送を受信する受信手段を選択的に切り替える制御手段とを設けたことを特徴とする移動通信端末。
【発明の詳細な説明】
【技術分野】
【０００１】
本発明は、携帯電話用デジタルテレビ放送のようなデジタルテレビ放送を視聴可能な移動通信端末に関する。
【背景技術】
【０００２】
特許文献１には、デジタルテレビ信号の受信状況が悪化しても、デジタルテレビ放送の視聴を可能とする移動体用デジタルテレビ放送受信装置が開示されている。特許文献１に記載のデジタルテレビ放送受信装置は、デジタルテレビ放送受信中にハイビジョン信号の受信状況を判定する。具体的には、受信電界強度データが所定の受信電界強度よりも大きく、かつ、誤り率データが所定の誤り率よりも小さければ、引き続きハイビジョン信号を受信し続ける。一方、受信電界強度データが所定の受信電界強度よりも小さくなったり、または、誤り率データが所定の誤り率よりも大きくなれば、ハイビジョン信号の受信状況が悪化したと判定する。そして、ハイビジョン信号ではなく、同じデジタルテレビ放送を送信している携帯電話用信号を受信することにより、デジタルテレビ放送を受信し続けるものである。
【０００３】
【特許文献１】特開２００５−２４４５３０号公報
【発明の開示】
【発明が解決しようとする課題】
【０００４】
ところで、特許文献１に記載のデジタルテレビ放送受信装置は、ハイビジョン用デジタルテレビ放送視聴中に受信電界強度及び誤り率データが所定レベルを満たさなくなると、例えば、携帯電話用デジタルテレビ放送へ自動的に切り替えるものである。しかし、携帯電話用デジタルテレビ放送及びハイビジョン用デジタル放送は視聴可能エリアが十分に広がっていないので、携帯電話用デジタルテレビ放送の電波が届かない地域では、テレビ放送の視聴が不可能になってしまう。つまり、移動端末のユーザーがデジタルテレビ放送を視聴しながら移動し、放送局からの地上波デジタルテレビ放送の電波が受信できないエリアに達すると放送内容の情報を入手することができなくなるなど問題点があった。
【課題を解決するための手段】
【０００５】
本発明に係る移動通信端末は、上記課題を解決するためになされたものであり、放送局から送信された地上波デジタルテレビ信号を受信する第一の受信手段と、携帯電話機を含む移動無線通信機器による無線通信に割り当てられた帯域を利用して放送局から送信される携帯電話用デジタルテレビ信号を受信する第二の受信手段と、地上波デジタルテレビ信号及び携帯電話用デジタルテレビ信号に含まれる音声信号を受信可能な第三の受信手段と、第一の受信手段、第二の受信手段及び第三の受信手段が受信した受信信号に基づいて、デジタルテレビ放送を視聴可能に出力する出力手段と、第一の受信手段、第二の受信手段及び第三の受信手段の受信状況に応じて、デジタルテレビ放送を受信する受信手段を選択的に切り替える制御手段とを設けたものである。
【０００６】
本発明に係る移動通信端末は、放送局から送信された地上波デジタルテレビ信号を受信する第一の受信手段と、携帯電話機を含む移動無線通信機器による無線通信に割り当てられた帯域を利用して放送局から送信される携帯電話用デジタルテレビ信号を受信する第二の受信手段と、地上波デジタルテレビ信号及び携帯電話用デジタルテレビ信号に含まれる音声信号を受信可能な第三の受信手段と、第一の受信手段、第二の受信手段及び第三の受信手段が受信した受信信号に基づいて、デジタルテレビ放送を視聴可能に出力する出力手段と、ＧＰＳ（Global Positioning System）信号を受信するＧＰＳ信号受信手段と、受信したＧＰＳ信号より位置検出を行い、検出した位置に基づいて、第一の受信手段、第二の受信手段及び第三の受信手段のうち、デジタルテレビ放送を受信する受信手段を選択的に切り替える制御手段とを設けたものである。
【発明の効果】
【０００７】
本発明に係る移動通信端末は、放送局から送信された地上波デジタルテレビ信号を受信する第一の受信手段と、携帯電話機を含む移動無線通信機器による無線通信に割り当てられた帯域を利用して放送局から送信される携帯電話用デジタルテレビ信号を受信する第二の受信手段と、地上波デジタルテレビ信号及び携帯電話用デジタルテレビ信号に含まれる音声信号を受信可能な第三の受信手段と、第一の受信手段、第二の受信手段及び第三の受信手段が受信した受信信号に基づいて、デジタルテレビ放送を視聴可能に出力する出力手段と、第一の受信手段、第二の受信手段及び第三の受信手段の受信状況に応じて、デジタルテレビ放送を受信する受信手段を選択的に切り替える制御手段とを設けたので、地上波デジタル放送を受信できない状況下でも、引き続き地上波デジタル放送と同一内容の放送を代替的に視聴することができる。
【０００８】
本発明に係る移動通信端末は、放送局から送信された地上波デジタルテレビ信号を受信する第一の受信手段と、携帯電話機を含む移動無線通信機器による無線通信に割り当てられた帯域を利用して放送局から送信される携帯電話用デジタルテレビ信号を受信する第二の受信手段と、地上波デジタルテレビ信号及び携帯電話用デジタルテレビ信号に含まれる音声信号を受信可能な第三の受信手段と、第一の受信手段、第二の受信手段及び第三の受信手段が受信した受信信号に基づいて、デジタルテレビ放送を視聴可能に出力する出力手段と、ＧＰＳ（Global Positioning System）信号を受信するＧＰＳ信号受信手段と、受信したＧＰＳ信号より位置検出を行い、検出した位置に基づいて、第一の受信手段、第二の受信手段及び第三の受信手段のうち、デジタルテレビ放送を受信する受信手段を選択的に切り替える制御手段とを設けたので、ＧＰＳの位置情報から現在受信している通信手段の受信電界強度が劣化することを予め予測し、代替通信手段に早めに切り替えておくことにより、番組を視聴できない時間を短縮することができる。
【発明を実施するための最良の形態】
【０００９】
実施の形態１．
図１は本発明に係る移動通信端末の構成を示すブロック図である。図１において、本発明に係る移動通信端末１００は、無線信号のベースバンド処理およびデジタルテレビ放送のＭＰＥＧ２−ＴＳデータのデコード処理をはじめ各部の制御を行なうプロセッサ部１１、デジタルテレビ放送受信用アンテナ１、無線受信回路およびＯＦＤＭ復調回路からなり、放送局から放送された地上波デジタル放送を受信するデジタルテレビ放送用無線回路部２、パケットデータ通信および音声通話用アンテナ３、無線受信回路およびアナログフロントエンド部からなるパケットデータ通信および音声通話用無線回路４、ワイヤレスＬＡＮ受信用アンテナ５、ワイヤレスＬＡＮ無線回路部６、ラジオ用アンテナ７、ラジオ用無線回路８、ＧＰＳ用アンテナ９、ＧＰＳ用無線受信回路およびベースバンド部からなるＧＰＳ無線回路部１０、プロセッサ部１１で処理するソフトウェアプログラム格納やデータを記憶させるＲＯＭ部１２、プロセッサ部２１がソフトウェアプログラムを実行にあたってワーク用として使用するＲＡＭ部１３、ユーザーがキー入力するための入力部１４、表示装置１５、音声出力部１６を有する。
【００１０】
デジタルテレビ放送受信用アンテナ１及びデジタルテレビ放送用無線回路部２は、「地上波デジタル」と称されるデジタルテレビ放送を受信するためのデジタルテレビ放送受信手段である。パケットデータ通信および音声通話用アンテナ３及びデータ通信・音声通話用無線回路４は、通常、携帯電話機の音声通話やパケットデータ通信を行っている無線送受信手段であり、インターネット上の所定のサーバから送信され、基地局など移動体無線通信網を介して伝達された放送番組を受信する。また、この無線送受信手段は、音声通話やパケットデータ通信のほか、放送局から送信される、通称「ワンセグ」と称される携帯電話用デジタルテレビ放送を受信するものである。ワイヤレスＬＡＮ用無線回路部６、ラジオ用無線回路８、ＧＰＳ無線回路部１０は、デジタルテレビ放送及び携帯電話用デジタルテレビ放送のいずれも受信不可能な状況において、番組を受信するための代替的な受信手段として位置付けられるものである。プロセッサ部１１は、受信電界強度を監視し、例えばデジタルテレビ放送の無線環境が悪化した場合には、データ通信・音声通話用無線回路部４、ワイヤレスＬＡＮ用無線回路部６、ラジオ用無線回路８、ＧＰＳ無線回路部１０のうち、最適な代替受信手段を選択的に切り替えるものである。
【００１１】
図２は、本発明に係る移動通信端末が実行するテレビ放送受信処理を説明するフローチャートである。入力部１４を通してユーザーがデジタルテレビ放送視聴を指示した場合、あるいは、デジタルテレビ視聴中に受信電界強度がＲＯＭ部１２にあらかじめ記憶された閾値を下回った場合（ステップＳ１）、プロセッサ部１１はデジタルテレビ放送用無線回路２およびデータ通信・音声通話用無線回路部４、ワイヤレスＬＡＮ無線回路部６が受信した受信信号の受信電界強度を取得する（ステップＳ２、Ｓ３、Ｓ４）。プロセッサ部１１は、デジタルテレビ放送用無線回路部２が受信したデジタルテレビ放送、データ通信・音声通話用無線回路部４が受信した携帯電話用デジタルテレビ放送、ワイヤレスＬＡＮ用無線回路部６が受信した近距離無線通信により配信された放送のうち、所定の通信品質を満たしている媒体を用いて放送を受信する。いずれも所定の通信品質を満たしている場合には（ステップＳ５：ＹＥＳ）、ユーザにより設定された優先順位に従って、優先される通信手段によりアンテナおよび無線回路から受信データを取得する。プロセッサ部１１が取得した信号はデコードやベースバンドなどの処理を実施後、表示部１５および音声出力部１６を通してユーザーにデジタルテレビ放送と同等の情報を視聴可能とする（ステップＳ６）。ここで、ステップＳ２、Ｓ３、Ｓ４の順番は変更可能とする。デジタルテレビ放送と同様の内容をパケットデータ通信により接続可能なサイトが、インフラとして用意されるのが前提条件である。
【００１２】
次に、受信電界強度がＲＯＭ部１２にあらかじめ設定した閾値を上回っているものがない場合（ステップＳ５：ＮＯ）は、ラジオ用無線回路８と音声通話用無線回路４の電界強度を取得する（ステップＳ７，Ｓ８）。受信電界強度がＲＯＭ部１２にあらかじめ設定した閾値を上回っているものがある場合（ステップＳ９：ＹＥＳ）は、その中でも最も優先される通信手段によりアンテナおよび無線回路から受信データを取得する。プロセッサ部１１では取得した信号にデコードやベースバンドなどの処理を実施後、音声出力部１６を通してユーザーにデジタルテレビ放送の音声データのみを取得可能とする（ステップＳ１０）。ユーザーにとって映像は見ることができないが、音声データから最小限の情報を入手することが可能となる。一方、受信電界強度がＲＯＭ部１２にあらかじめ設定した閾値を上回っているものがない場合（ステップＳ９：ＮＯ）、デジタルＴＶ放送用無線回路部２により地上波デジタル放送を受信できず、かつ、通信品質の良好な代替方送受信手段も存在しないため、受信不可と判断し、受信を終了する（ステップＳ１１）。なお、図２に示すフローチャートのステップのうち、ステップＳ６、Ｓ７の順番は変更可能である。また、本発明はデジタルテレビ放送の音声データのみをラジオ番組あるいは電話でアクセス可能な電話回線が、インフラとして用意されるのが前提となっている。
【００１３】
上記説明のとおり、この発明はデジタルテレビ(ワンセグ含む)が受信できないエリアでも他の通信手段(パケットデータ通信やワイヤレスＬＡＮ、音声通信、ラジオ)によって同等の情報を入手できるとともに、その制御が自動で行われるためユーザーは特に意識することなく情報が入手可能となることを目的としている。具体的には、デジタルテレビ放送受信回路以外にも複数の受信回路(パケットデータ通信やワイヤレスＬＡＮ、音声通信、ラジオ)を有しており、それらの受信電界強度をモニタし、デジタルテレビ放送の電波が受信できないエリアでも他の手段(パケットデータ通信やワイヤレスＬＡＮ、音声通信、ラジオ)によって同等の情報が自動で入手可能となる。したがって、ユーザーは煩わしい操作をしなくても、より広いエリアでの情報入手が可能となる。また、デジタルテレビ視聴中に放送が途切れる確率を減少させることができる。
【００１４】
実施の形態２．
実施の形態１では、各無線回路の受信電界強度の情報を元に通信手段の選択を実施していたが、実施の形態２ではＧＰＳの位置情報を元に最良の通信手段を決定する。すなわち、図３は本発明に係る移動通信端末が実行するテレビ放送受信処理を説明するフローチャートである。図３において、ＧＰＳ用アンテナ１９および無線受信およびベースバンド処理を実施するＧＰＳ用無線回路部１０を介して位置情報を取得する（ステップＳ２１）。プロセッサ部１１は本位置情報を元に、ＲＯＭ部１２に事前入手しているどの場所でどの通信手段がよいかという情報と比較することで、通信手段を決定する（ステップＳ２２）。通信手段決定後は実施の形態１と同様に、アンテナおよび無線回路から受信したデータをプロセッサ部１１で処理し、表示部１５および音声出力部１６から受信内容を出力する（ステップＳ２３）。これにより、実施の形態１では通信手段の選択を受信電界強度によって実施しているため、移動中に一時的に電界強度が弱くなった瞬間に選択されることにより不要な切替を実施する可能性があったが、実施の形態２ではＧＰＳの位置情報と場所に応じた最適通信手段が選択されるため問題がなくなる。ただし前提条件として、デジタルテレビ放送の受信可能エリア、パケットデータ通信可能エリア、音声通信可能エリア、ワイヤレスＬＡＮのホットスポットエリア、ラジオの受信可能エリア、受信電界強度を含める形で情報として移動端末に提供されることが条件となる。これらのエリア情報はデジタルテレビの基地局や携帯電話用の基地局の増加に伴い時々刻々変化していくものであるため、定期的に移動端末にアップデートされるような仕組みであることがのぞましい。
【００１５】
また、ＧＰＳの位置情報から現在受信している通信手段の受信電界強度が劣化する情報をあらかじめ入手し、通信手段の切替えを早目に実施することで、情報を入手できない時間を短くすることができるようにした実施の形態である。
【図面の簡単な説明】
【００１６】
【図１】本発明に係る移動通信端末の構成を示すブロック図である。
【図２】本発明に係る移動通信端末が実行するテレビ放送受信処理を説明するフローチャートである。
【図３】本発明に係る移動通信端末が実行するテレビ放送受信処理を説明するフローチャートである。
【符号の説明】
【００１７】
１  デジタルテレビ用アンテナ、２  デジタルテレビ用無線回路、
３  パケットデータ通信・音声通話用アンテナ、
４  パケットデータ通信・音声通話用無線回路、
５  ワイヤレスＬＡＮ用アンテナ、６  ワイヤレスＬＡＮ用無線回路、
７  ラジオ用アンテナ、８  ラジオ用無線回路、９  ＧＰＳ用アンテナ、
１０  ＧＰＳ用無線回路、１１  プロセッサ部、１２  ＲＯＭ、１３  ＲＡＭ、
１４  入力部、１５  表示部、１６  音声出力部
【図１】
2008118350.tif 000003
【図２】
2008118350.tif 000004
【図３】
2008118350.tif 000005